(57)【要約】      （修正有）【課題】患者が十分な酸素を得ることに依って、痰吸引管の洗浄過程で発生する不適感を防止する酸素補充機能を備えた密閉式痰吸引セット及び回転スイッチを提供する。【解決手段】酸素補充機能を備えた密閉式痰吸引セット及び回転スイッチにおいて、コネクター本体１０は、連通空間及び複数のジョイントを含み、該複数のジョイントは痰吸引ジョイント１１１、気管ジョイント１１２、呼吸ジョイント１１３、洗浄ジョイント及び制御バルブジョイント１１５を含む。回転スイッチ２０は、制御バルブジョイント１１５に設置し、回転スイッチ２０はスイベル２１及び中空チューブ２２を含む。中空チューブ２２はチューブ壁２２１及び仕切片２３を備え、チューブ壁２２１には一対の痰吸引孔２２２を穿設し、仕切片２３は通気孔２３０を穿設し、外部空気は通気孔２３０を経て痰吸引孔２２２の間に流入する。【選択図】図１
0003177397.tif 000002
【実用新案登録請求の範囲】
【請求項１】
痰吸引管を挿着するのに用いる酸素補充機能を備えた密閉式痰吸引セット及び回転スイッチにおいて、該密閉式痰吸引セットは、
連通空間及び透過該連通空間を通じて互いに連通する複数のジョイントを含み、該複数のジョイントは該痰吸引管を挿着するのに用いる痰吸引ジョイント、人体の気管に連接するのに用いる気管ジョイント、酸素供給装置に連接するのに用いる呼吸ジョイント、該呼吸ジョイント及び該痰吸引ジョイントの間に相対して設置する洗浄ジョイント及び制御バルブジョイントを含むコネクター本体と、
該制御バルブジョイントに設置し、スイベル及び該スイベル内に挿着する中空チューブを含み、該中空チューブはチューブ壁及び該チューブ壁の間に架設する仕切片を備え、且つ該チューブ壁は該連通空間に対応する位置に該痰吸引管を挿着するための一対の痰吸引孔を穿設する回転スイッチを含み、
そのうちの該仕切片は通気孔を穿設し、外部空気は該通気孔を経て該一対の痰吸引孔の間に流入することを特徴とする酸素補充機能を備えた密閉式痰吸引セット。
【請求項２】
前記酸素補充機能を備えた密閉式痰吸引セットは、更に痰切り片を含み、該痰切り片は該中空チューブ内の該一対の痰吸引孔の間に設置し、且つ該仕切片は該一対の痰吸引孔に対応する位置に貫通孔を穿設することを特徴とする請求項１記載の酸素補充機能を備えた密閉式痰吸引セット。
【請求項３】
前記痰切り片は、一側辺が該仕切片上で停止されることを特徴とする請求項２記載の酸素補充機能を備えた密閉式痰吸引セット。
【請求項４】
前記通気孔は錐形孔とすることを特徴とする請求項１記載の酸素補充機能を備えた密閉式痰吸引セット。
【請求項５】
前記通気孔の口径は該スイベルの方向に向けて徐々に拡大することを特徴とする請求項４記載の酸素補充機能を備えた密閉式痰吸引セット。
【請求項６】
前記中空チューブは洗浄液出口を備え、該洗浄液出口は該チューブ壁に設置し、且つ該一対の痰吸引孔の間に位置することを特徴とする請求項１記載の酸素補充機能を備えた密閉式痰吸引セット。
【請求項７】
前記スイベルは、該制御バルブジョイントの外周に設置し、該中空チューブは該制御バルブジョイントに沿って該連通空間へ貫入し、該洗浄ジョイントの一側辺に定位することを特徴とする請求項１記載の酸素補充機能を備えた密閉式痰吸引セット。
【請求項８】
前記中空チューブの一端口は該洗浄ジョイントと相互に連通することを特徴とする請求項７記載の酸素補充機能を備えた密閉式痰吸引セット。
【請求項９】
前記回転スイッチは、更にチェックバルブを含み、該チェックバルブは該通気孔に設置することを特徴とする請求項１記載の酸素補充機能を備えた密閉式痰吸引セット。
【請求項１０】
痰吸引管の洗浄を制御する酸素補充機能を備えた密閉式痰吸引セットの回転スイッチにおいて、
該密閉式痰吸引セットは、制御バルブジョイントを備えたコネクター本体を含み、該回転スイッチは、該制御バルブジョイントに設置し、該回転スイッチは、スイベル及び該スイベル内に挿着する中空チューブを含み、該中空チューブはチューブ壁及び該チューブ壁の間に架設する仕切片を備え、且つ該チューブ壁は該痰吸引管を挿着するための一対の痰吸引孔を穿設し、そのうち、
該仕切片は通気孔を穿設し、外部空気は該通気孔を経て該一対の痰吸引孔の間に流入することを特徴とする酸素補充機能を備えた密閉式痰吸引セットの回転スイッチ。
【請求項１１】
前記通気孔は錐形孔とすることを特徴とする請求項１０記載の酸素補充機能を備えた密閉式痰吸引セットの回転スイッチ。
【請求項１２】
前記通気孔の口径は該スイベルの方向に向けて徐々に拡大することを特徴とする請求項１１記載の酸素補充機能を備えた密閉式痰吸引セットの回転スイッチ。
【請求項１３】
前記中空チューブは洗浄液出口を備え、該洗浄液出口は該チューブ壁に設置し、且つ該一対の痰吸引孔の間に位置することを特徴とする請求項１０記載の酸素補充機能を備えた密閉式痰吸引セットの回転スイッチ。
【請求項１４】
前記コネクター本体は、洗浄ジョイントを備え、該スイベルは該制御バルブジョイントの外周に設置し、該中空チューブは該制御バルブジョイントに沿って該連通空間へ挿着し、該洗浄ジョイントの一側辺に定位することを特徴とする請求項１０記載の酸素補充機能を備えた密閉式痰吸引セットの回転スイッチ。
【請求項１５】
前記中空チューブの一端口は、該洗浄ジョイントと相互に連通することを特徴とする請求項１４記載の酸素補充機能を備えた密閉式痰吸引セットの回転スイッチ。
【請求項１６】
前記回転スイッチは、更にチェックバルブを含み、該チェックバルブは該通気孔に設置することを特徴とする請求項１０記載の酸素補充機能を備えた密閉式痰吸引セットの回転スイッチ。
【考案の詳細な説明】
【技術分野】
【０００１】
本考案は、密閉式痰吸入装置に関するもので、特に酸素補充機能を備えた密閉式痰吸引セット及び回転スイッチに係わる。
【背景技術】
【０００２】
医療の過程において、呼吸器の使用及び気管切開の患者に対する痰吸引は、大抵痰吸引装置で病人に対して痰吸引及び酸素供給を行う。現在の痰吸引装置は、コネクター本体、該コネクター本体に連接する陰圧発生器及び酸素供給装置を含み、該コネクター本体は患者の気管に連接する気管ジョイント、酸素供給装置に連接する酸素供給ジョイント、痰吸引管に連接する痰吸引ジョイント、及び洗浄装置に連接する洗浄ジョイントを含む。
【０００３】
上述の痰吸引装置を実際に使用する時、酸素は酸素供給装置から酸素供給ジョイントへ運ばれ、次に気管ジョイントを経て患者体内へ入り、患者が呼吸に必要な酸素を継続して供給する。他に、患者が痰吸引を必要とする時、医療従事者は痰吸引管を痰吸引ジョイントに挿着し、次に気管ジョイントに差し込み、陰圧発生器で発生した陰圧によって、患者の口鼻内の痰液を痰吸引管内に吸引する。
痰吸引完了後、医療従事者は次に洗浄装置を洗浄ジョイントに挿着し、洗浄装置内の洗浄液がコネクター本体内を洗い流し、痰吸引装置内の残余痰液を洗浄する。
【先行技術文献】
【特許文献】
【０００４】
【特許文献１】実用新案登録３１７３２７５号公報
【考案の概要】
【考案が解決しようとする課題】
【０００５】
解決しようとする問題点は、公知の痰吸引装置が、痰吸引装置を洗浄する過程に於いて、陰圧発生器が発する陰圧作用によって一部の酸素が陰圧の影響を受けて洗浄ジョイントの方向へ流動してしまい、患者が十分な酸素を受けられなくなり、患者は痰吸引装置を洗浄する度に不適応を感じることになってしまう点である。
【０００６】
これらを鑑み、本考案者は目的を達成するため、学理の運用と合わせて研究し、遂に合理的で上述の欠点を改善する本考案を提案することとなった。
【課題を解決するための手段】
【０００７】
本考案のコネクター本体は、連通空間及び複数のジョイントを含み、該複数のジョイントは痰吸引ジョイント、気管ジョイント、呼吸ジョイント、洗浄ジョイント及び制御バルブジョイントを含む。回転スイッチは、制御バルブジョイントに設置し、回転スイッチはスイベル及び中空チューブを含む。中空チューブはチューブ壁及び仕切片を備え、チューブ壁には一対の痰吸引孔を穿設し、仕切片は通気孔を穿設し、外部空気は通気孔を経て痰吸引孔の間に流入することを最も主要な特徴とする。
【考案の効果】
【０００８】
本考案の酸素補充機能を備えた密閉式痰吸引セット及び回転スイッチは、患者が十分な酸素を得ることに依って、痰吸引管の洗浄過程で発生する不適感を防止するという利点がある。
【図面の簡単な説明】
【０００９】
【図１】本考案のコネクター本体及び回転スイッチの立体分解指示図である。
【図２】本考案の管本体及び回転スイッチ組立後の立体外観指示図である。
【図３】本考案の密閉式痰吸引セットの使用指示図である。
【図４】本考案の回転スイッチの使用指示図である。
【図５】本考案の回転スイッチの使用指示図である。
【図６】本考案の回転スイッチの通気孔の実施状態である。
【図７】本考案の回転スイッチの通気孔の別一種の実施状態である。
【考案を実施するための形態】
【００１０】
洗浄痰吸引管の洗浄過程に於いて、酸素供給装置が出力する酸素の流れに影響をあたえることを防止し、患者が十分な酸素を得ることに依って、痰吸引管の洗浄過程で発生する不適感を防止する酸素補充機能を備えた密閉式痰吸引セットを提供することを本考案の一目的とする。
【００１１】
上述の目的を達成するため、本考案の酸素補充機能を備えた密閉式痰吸引セットは、痰吸引管を挿着するのに用い、密閉式痰吸引セットはコネクター本体及び回転スイッチを含む。コネクター本体は連通空間及び該連通空間を通じて互いに連通する複数のジョイントを含み、該複数のジョイントは、該痰吸引管を挿着するのに用いる痰吸引ジョイント、人体の気管に連接するのに用いる気管ジョイント、酸素供給装置に連接するのに用いる呼吸ジョイント、該呼吸ジョイント及び該痰吸引ジョイントの間に相対して設置する洗浄ジョイント及び一制御バルブジョイントを含む。
【００１２】
回転スイッチは、該制御バルブジョイントに設置し、該回転スイッチはスイベル及び該スイベル内に挿着する中空チューブを含み、該中空チューブはチューブ壁及び該チューブ壁の間に架設する仕切片を備え、且つ該チューブ壁は該連通空間に対応する位置に該痰吸引管を挿着する一対の痰吸引孔を穿設する。そのうち、該仕切片は通気孔を穿設し、外部空気は該通気孔を経て該一対の痰吸引孔の間に流入する。
【００１３】
上述の目的を達成するため、本考案の酸素補充機能を備えた密閉式痰吸引セットの回転スイッチは、痰吸引管の洗浄を制御し、該密閉式痰吸引セットは制御バルブジョイントを備えたコネクター本体を含み、該回転スイッチは該制御バルブジョイントに設置する。該回転スイッチはスイベル及び該スイベル内に挿着する中空チューブを含み、該中空チューブはチューブ壁及び該チューブ壁の間に架設する仕切片を備え、且つ該チューブ壁には該痰吸引管を挿着する一対の痰吸引孔を穿設する。そのうち、該仕切片は通気孔を穿設し、外部空気は該通気孔を経て該一対の痰吸引孔の間に流入する。
【００１４】
公知と比較して、本考案の密閉式痰吸引セットは、回転スイッチを設置する。回転スイッチをオフの状態へ回した時、痰吸引管の洗浄を行い、陰圧発生器が発する陰圧が痰吸引管洗浄の過程で該酸素供給装置が出力する酸素の流れに影響することを防止する。故に、本考案は回転スイッチの仕切片に通気孔を穿設し、外部空気を回転スイッチの通気孔を経て回転スイッチへ流入させるため、回転スイッチ内の圧力の平衡が保たれ、患者が十分な酸素を得ることができなくなるのを防止し、本考案の実用性が高まる。
【実施例】
【００１５】
本考案の詳細な説明及び技術内容は、図式と共に以下のように説明するが、図式は説明のための参考に過ぎず、本考案を制限するものではない。
【００１６】
図１から図３に示すように、本考案のコネクター本体及び回転スイッチの立体分解指示図、組立後の立体外観指示図、及び密閉式痰吸引セットの使用指示図である。本考案は一種の酸素補充機能を備えた密閉式痰吸引セット１を提供し、それは痰吸引管２を挿着するのに用いる。該密閉式痰吸引セット１はコネクター本体１０、回転スイッチ２０、及び痰切り片３０を含む。
【００１７】
該コネクター本体１０は、連通空間１００及び該連通空間１００を通じて互いに連通する複数のジョイント１１を含む。該複数のジョイント１１は該痰吸引管２を挿着するのに用いる痰吸引ジョイント１１１、人体の気管に連接する気管ジョイント１１２、酸素供給装置３に連接する呼吸ジョイント１１３、該呼吸ジョイント１１３及び該痰吸引ジョイント１１１の間に相対して設置する洗浄ジョイント１１４及び制御バルブジョイント１１５を含む。該洗浄ジョイント１１４は洗浄装置４に連接する。
【００１８】
更に、該回転スイッチ２０は該制御バルブジョイント１１５に設置する。該回転スイッチ２０はスイベル２１及び該スイベル２１内に挿着する中空チューブ２２を含み、該中空チューブ２２はチューブ壁２２１及び該チューブ壁２２１の間に架設する仕切片２３を備える。
【００１９】
該回転スイッチ２０を該制御バルブジョイント１１５にセットする時、該スイベル２１は該制御バルブジョイント１１５の外周に嵌合し、該中空チューブ２２は該制御バルブジョイント１１５に沿って該連通空間１００に挿入し、該洗浄ジョイント１１４の一側辺に定位する。この時、該中空チューブ２２の端口２２０は該洗浄ジョイント１１４と相互に連通する。その他、該チューブ壁２２１は該連通空間１００に対応する位置に該痰吸引管２を挿着するための一対の痰吸引孔２２２、２２３を穿設し、また該中空チューブ２２は洗浄液出口２２４を備え、該洗浄液出口２２４は該チューブ壁２２１に設置し、痰吸引孔２２２、２２３の間に位置する。
【００２０】
特に、該回転スイッチ２０の仕切片２３は通気孔２３０を穿設し、外部空気は該通気孔２３０から該一対の痰吸引孔２２２、２２３に対する間に流入して，酸素補充に用いる。
【００２１】
該痰切り片３０は、該一対の痰吸引孔２２２、２２３の間に設置し、且つ該痰切り片３０は該一対の痰吸引孔２２２、２２３の位置に対応して貫通孔３００を設置する。実際の実施時、該痰切り片３０は該中空チューブ２２のチューブ壁２２１に嵌合して固定し、該痰切り片３０の一側辺を該仕切片２３上で止める。
【００２２】
患者が痰吸引を必要とする時、該痰吸引管２を下方(該痰吸引ジョイント１１１に近い方向)の痰吸引孔２２２に挿着し、次に該貫通孔３００及び上方(該気管ジョイント１１２に近い方向)の痰吸引孔２２３の順に挿着する。最後に該気管ジョイント１１２に達し、陰圧発生器で陰圧を発生して患者口鼻内の痰液を抽出して吸引する該痰吸引管２内に吸引する。
【００２３】
図４及び図５に示すように、本考案の回転スイッチの使用指示図及び密閉式痰吸引セットの洗浄指示図である。痰吸引が完了した後、医療従事者は該洗浄装置４を該洗浄ジョイント１１４に連接し、該密閉式痰吸引セット１内の残余痰液を洗浄する。
【００２４】
洗浄時は、先ず該痰吸引管２を該気管ジョイント１１２及び該一対の痰吸引孔２２２、２２３から外し、外す過程に於いて、該痰吸引管２外壁上の痰液は該痰切り片３０の作用を受けてしごき取られ、該回転スイッチ２０の回転スイッチ２０内に液が留まる。
【００２５】
続いて、該回転スイッチ２０をおよそ９０度回転し、該中空チューブ２２の洗浄液出口２２４を該痰吸引ジョイント１１１へ向ける。次に該洗浄装置４を稼働させ洗浄液を該洗浄装置４から該洗浄ジョイント１１４内へ流し込み、最後に該洗浄液出口２２４及び該痰吸引管２から流出させる。この時、該痰吸引管２に連接した陰圧発生器は継続して作動し陰圧を発生し、同時に該中空チューブ２２及び該痰吸引管２内に残留した痰液及び洗浄液を吸引する。
【００２６】
洗浄の過程に於いて、外部空気は該仕切片２３の通気孔２３０から該中空チューブ２２内へ流入し、それに依って該中空チューブ２２内の圧力を平衡に保ち、洗浄痰吸引管を洗浄する過程での該酸素供給装置３が出力する酸素の流れに影響を与えることを防止し、患者が十分な酸素を得られなくなるのを避ける。
【００２７】
図６及び図７は本考案の回転スイッチの通気孔の二種の実施状態である。図６に示すとおり、回転スイッチ２０aは、スイベル２１a及び該スイベル２１a内に挿着する中空チューブ２２aを含み、該中空チューブ２２aは仕切片２３a及び洗浄液出口２２４aを備え、且つ該仕切片２３aは通気孔２３０aを穿設する。該通気孔２３０aは錐形孔を形成し、且つ該通気孔２３０aの口径は、該スイベル２１aの方向に向かって徐々に大きくなり、それによって外部空気を流入しやすく、更に免内部液体が流出しにくくするのに役立つ。
【００２８】
同じく、図７に示すとおり、回転スイッチ２０bは、スイベル２１b及び該スイベル２１b内に挿着する中空チューブ２２bを含む。該中空チューブ２２bは仕切片２３b及び洗浄液出口２２４bを備え、且つ該仕切片２３bは通気孔２３０bを穿設する。図６と異なる点として、該回転スイッチ２０bは、更にチェックバルブ２４bを含む。該チェックバルブ２４bは通気孔２３０bに設置し、同様に達到外部空気を流入しやすく、内部液体の流出を止める効果を達成する。
【００２９】
以上は本考案の良好な実施例であるが、それは本考案の請求範囲を制限しない。他に本考案の特許精神に基づく同効果を運用した変化はすべて本考案の請求範囲に含むものとする。
【符号の説明】
【００３０】
１        密閉式痰吸引セット
１０        コネクター本体
１００      連通空間
１１        ジョイント
１１１        痰吸引ジョイント
１１２        気管ジョイント
１１３        呼吸ジョイント
１１４      洗浄ジョイント
１１５        制御バルブジョイント
２        痰吸引管
２０        回転スイッチ
２０ａ      回転スイッチ
２０ｂ      回転スイッチ
２１        スイベル
２１ａ      スイベル
２１ｂ      スイベル
２２        中空チューブ
２２ａ      中空チューブ
２２ｂ      中空チューブ
２２０        端口
２２１      チューブ壁
２２２      痰吸引孔
２２３      痰吸引孔
２２４        洗浄液出口
２２４ａ      洗浄液出口
２２４ｂ      洗浄液出口
２３        仕切片
２３ａ      仕切片
２３ｂ      仕切片
２３０        通気孔
２３０ａ      通気孔
２３０ｂ      通気孔
２４ｂ    チェックバルブ
３        酸素供給装置
３０        痰切り片
３００        貫通孔
４        洗浄装置
【図１】
0003177397.tif 000003
【図２】
0003177397.tif 000004
【図３】
0003177397.tif 000005
【図４】
0003177397.tif 000006
【図５】
0003177397.tif 000007
【図６】
0003177397.tif 000008
【図７】
0003177397.tif 000009